(57)【要約】      （修正有）【課題】装身用チェーンを一対の挟持板で回動可能に挟持することで、一対の挟持板の摩耗を防ぎ、装身用チェーンに対する位置決めを容易にすることができる調節具を提供する。【解決手段】装身用チェーン２の一端側を内部に挿通させ、装身用チェーンの他端を固定させて、装身用チェーンを環状に形成する調節具本体３２と、装身用チェーンを挟持する一対の挟持板と、一対の挟持板を調節具本体内へ押圧する押圧蓋と、を備え、装身用チェーンを調節具本体３２から引くことで、装身用チェーンの環径を調節する調節具３であって、挟持板は、調節具本体内において回動可能に収納されており、装身用チェーンを外側で挟持することを特徴とする。【選択図】図１
0003214598.tif 000002
【実用新案登録請求の範囲】
【請求項１】
装身用チェーンの一端側を内部に挿通させ、前記装身用チェーンの他端を外面に固定させて、前記装身用チェーンを環状に形成する容器形状をした調節具本体と、
前記調節具本体に収納され、前記装身用チェーンを挟持する一対の挟持板と、
前記調節具本体の開口端部を封止し、前記一対の挟持板を前記調節具本体内へ押圧する押圧蓋と、を備え、前記装身用チェーンの一端側を前記調節具本体から引くことで、前記装身用チェーンの環径を調節する調節具であって、
前記挟持板は、前記調節具本体内において回動可能に収納されており、前記装身用チェーンを外側で挟持することを特徴とする調節具。
【請求項２】
前記挟持板は、樹脂材料で形成されていることを特徴とする請求項１に記載の調節具。
【請求項３】
請求項１又は２に記載の調節具と、
前記調節具で環状に形成された装身用チェーンと、を備えることを特徴とする環状装身具。
【考案の詳細な説明】
【技術分野】
【０００１】
本考案は、ネックレス、ブレスレット等の環状装身具における環径を調節することができる調節具および環状装身具に関する。
【背景技術】
【０００２】
従来からネックレスやブレスレットなどの環状装身具（以下、環状装身具と言う。）における環径を調節するために調節具が用いられている。近年、この調節具に関して鋭意研究なされている。
【０００３】
例えば、特許文献１（従来例）では、第１装飾部１１０内に摩擦体１３０を設け、この摩擦体１３０内に細長状の第１細長部材１４０を貫通させることで、細長部材１４０における任意の位置で第１装飾部１１０を位置決めすることができる装飾体１００が開示されている。
【先行技術文献】
【特許文献】
【０００４】
【特許文献１】実用新案登録第３０４１８３６号
【考案の概要】
【考案が解決しようとする課題】
【０００５】
しかし、従来例の装飾体１００は、摩擦体１３０内における第１細長部材１４０の摩擦で第１装飾部１１０の位置決めするため、第１装飾部１１０を頻繁に第１細長部材１４０上でスライド移動させると、摩擦体１３０内が摩耗して、摩擦力が低減し、第１装飾部１１０の位置決めが難くなる問題があった。
【０００６】
本考案は、上述した事情に鑑みてなされるものであって、装身用チェーンを一対の挟持板の外側で回動可能に挟持することで、一対の挟持板の摩耗を防ぎ、装身用チェーンに対する位置決めを容易にすることができる調節具および環状装身具を提供することを目的とする。
【課題を解決するための手段】
【０００７】
上記課題を解決するためになされた請求項１に記載の考案は、装身用チェーンの一端側を内部に挿通させ、前記装身用チェーンの他端を外面に固定させて、前記装身用チェーンを環状に形成する容器形状をした調節具本体と、前記調節具本体に収納され、前記装身用チェーンを挟持する一対の挟持板と、前記調節具本体の開口端部を封止し、前記一対の挟持板を前記調節具本体内へ押圧する押圧蓋と、を備え、前記装身用チェーンの一端側を前記調節具本体から引くことで、前記装身用チェーンの環径を調節する調節具であって、前記挟持板は、前記調節具本体内において回動可能に収納されており、前記装身用チェーンを外側で挟持することを特徴とする。
【０００８】
請求項１に記載の考案によれば、装身用チェーンを一対の挟持板の外側で回動可能に挟持することで、一対の挟持板の摩耗を防ぎ、装身用チェーンに対する位置決めを容易にすることができる調節具を提供することができる。
【０００９】
請求項２に記載の考案は、請求項１に記載された調節具であって、前記挟持板は、樹脂材料で形成されていることを特徴とする。
【００１０】
請求項２に記載の考案によれば、挟持板を樹脂材料で形成することで、装身用チェーンを挟持した際に装身用チェーンと挟持板との間の摩擦を十分に発揮し、装身用チェーンのスライド移動に伴って効率良く挟持板を回動させることができる。
【００１１】
請求項３に記載の考案は、請求項１又は２に記載された調節具と、前記調節具で環状に形成された装身用チェーンと、を備える。
【００１２】
請求項３に記載の考案によれば、装身用チェーンを一対の挟持板の外側で回動可能に挟持することで、一対の挟持板の摩耗を防ぎ、装身用チェーンに対する位置決めを容易にすることができる環状装身具を提供することができる。
【考案の効果】
【００１３】
本考案によれば、装身用チェーンを一対の挟持板の外側で回動可能に挟持することで、一対の挟持板の摩耗を防ぎ、装身用チェーンに対する位置決めを容易にすることができる調節具および環状装身具を提供することができる。
【図面の簡単な説明】
【００１４】
【図１】第１実施例の環状装身具を示す概略図である。
【図２】図１の調節具を示す上方斜視図である。
【図３】図１の調節具を展開した展開図である。
【図４】（Ａ）は図１の調節具において押圧蓋を調節具本体の開口端部に接合した状態を示す下方斜視図であり、（Ｂ）は（Ａ）の押圧蓋の爪部を屈曲させて調節具本体の開口端部に接合した状態を示す下方斜視図であり、（Ｃ）は（Ａ）の押圧蓋を調節具本体の開口端部における内周面に接合した状態を示す下方斜視図である。
【図５】図１の環状装身具を組み立てる組立方法を示すフローチャートである。
【図６】従来例の装飾体を示す構成図である。
【考案を実施するための形態】
【００１５】
以下、本考案を図面に示す実施例に基づいて説明する。
（第１実施例）
本考案の環状装身具１に関して、図１乃至４を用いて説明する。
図１は第１実施例の環状装身具１を示す概略図であり、図２は図１の調節具３を示す上方斜視図であり、図３は図１の調節具３を展開した展開図であり、図４（Ａ）は図１の調節具３において押圧蓋３３を調節具本体３２の開口端部３２aに接合した状態を示す下方斜視図であり、（Ｂ）は（Ａ）の押圧蓋３３の爪部３３aを屈曲させて調節具本体３２の開口端部３２aに接合した状態を示す下方斜視図であり、（Ｃ）は（Ａ）の押圧蓋３３を調節具本体３２の開口端部３２aにおける内周面に接合した状態を示す下方斜視図である。
なお、調節具３の幅方向をＸ軸、調節具３の高さ方向をＹ軸、調節具３の厚み方向をＺ軸とする。
【００１６】
図１乃至３で示すように、引用符号１は、本実施例の環状装身具１である。環状装身具１は、鎖状または紐状の装身用チェーン２と、装身用チェーン２を環状に形成し、装身用チェーン２の環径を調節する調節具３と、装身用チェーン２における調節具３から延出した端部に取付けられた装飾部４と、を備える。
【００１７】
装身用チェーン２は、図１で示すように、調節具３に固定される固定側チェーン２１と、調節具３内をスライド移動する可動側チェーン２２とを有する。固定側チェーン２１は、一端を調節具３に固定し、他端には係止具２１aが取付けられている。可動側チェーン２２は、一端側を調節具３内に挿通し、他端には係止具２１aが係止する係止受具２２aが取付けられている。
【００１８】
調節具３は、図２および３で示すように、可動側チェーン２２の一端側を挟持する一対の挟持板３１と、一対の挟持板３１を回動可能に収納し、容器形状をした調節具本体３２と、調節具本体３２の開口端部３２aを封止し、一対の挟持板３１を調節具本体３２内へ押圧する押圧蓋３３と、を有する。
【００１９】
挟持板３１は、図３で示すように、例えば樹脂材料からなり、略円板形状をしている。この挟持板３１は、調節具本体３２の内径よりも小さな径で形成されている。
【００２０】
調節具本体３２は、例えば、金を主成分として銀、銅を配合したＫ１８金合金、Ｋ１４金合金、Ｋ１０金合金などの金合金（以下、金合金という。）、プラチナを主成分とするプラチナ９５０（プラチナ含有率約９５重量％）、プラチナ９００（プラチナ含有率約９０重量％）、プラチナ８５０（プラチナ含有率約８５重量％）、プラチナ５８５（プラチナ含有率約５８.５重量％）などのプラチナ合金（以下、プラチナ合金という。）、銀を主成分とする銀９００（銀含有率約９０重量％）、銀９２５（銀含有率約９２．５重量％）、銀９５０（銀含有率約９５重量％）などの銀合金（以下、銀合金という。）、真鍮又は樹脂などで形成されている。
【００２１】
調節具本体３２の外面には、図２および３で示すように、固定側チェーン２１の一端を固定する固定部３２bと、可動側チェーン２２の一端側を内部に挿通する一対の孔部３２cとが形成されている。一対の孔部３２cは、可動側チェーン２２が一対の挟持板３１の外側（挟持板３１の中央よりも外側）を横断するように調節具本体３２の外面に形成されている。
【００２２】
調節具本体３２は、図１で示すように、固定部３２bで固定側チェーン２１の一端を固定するとともに、可動側チェーン２２の一端側を一対の孔部３２cに挿通することで、装身用チェーン２を環状に形成する。より具体的には、固定側チェーン２１および可動側チェーン２２の各一端が調節具本体３２に固定されているため、係止具２１aを係止受具２２aに係止させるだけで、調節具本体３２より手前側の装身用チェーン２を環状に形成することができる。
【００２３】
押圧蓋３３は、図３および４で示すように、例えば金合金、プラチナ合金、銀合金、真鍮又は樹脂などで形成されており、略円板形状をしている。押圧蓋３３の外周部には、約１２０°間隔で３つの爪部３３aが形成されている。この爪部３３aを調節具本体３２の開口端部３２a等にレーザー溶接などで接合して、調節具本体３２内に一対の挟持板３１を回動可能に押圧する。
【００２４】
ここで、調節具本体３２に対する押圧蓋３３の接合態様によって、調節具本体３２内における一対の挟持板３１の回動状態を調節できる構成とすると良い。
【００２５】
具体的には、図４（Ａ）で示すように、爪部３３aを調節具本体３２の開口端部３２aに接合すれば、調節具本体３２内の高さ方向を保持し、調節具本体３２内において一対の挟持板３１を回動可能に保持することができる。
【００２６】
一方、一対の挟持板３１をより円滑に回動させる場合には、図４（Ｂ）で示すように、爪部３３aを調節具本体３２側へ屈曲させて、この屈曲した爪部３３aを調節具本体３２の開口端部３２aに接合することで、図４（Ａ）の状態よりも調節具本体３２内の高さ方向を広く設定することができる。
【００２７】
他方、一対の挟持板３１を回動し難くする場合には、図４（Ｃ）で示すように、爪部３３aを調節具本体３２の開口端部３２aの内周面に接合することで、図４（Ａ）の状態よりも調節具本体３２内の高さ方向を狭く設定することができる。
【００２８】
このように、本実施例の調節具３は、調節具本体３２の開口端部３２aに対する爪部３３aの接合状態を調節するだけで、簡単に一対の挟持板３１の回動状態を設定することができる。
【００２９】
装飾部４は、図２および３で示すように、例えば、例えば金合金、プラチナ合金、銀合金、真鍮又は樹脂などで形成されており、可動側チェーン２２の他端に一体的に形成されている。この装飾部４は、可動側チェーン２２を把持する部分となり、調節具３よりも外側へ引っ張ることで、装身用チェーン２の環径を狭めることができる。
【００３０】
より具体的には、装飾部４を調節具３に対して外側へ引っ張ることで、可動側チェーン２２が一対の挟持板３１の外側をスライド移動して、一対の挟持板３１が回動することで、可動側チェーン２２が調節具３内をスライド移動し、装身用チェーン２の環径を狭めることができる。
【００３１】
このように、本実施例の調節具３は、可動側チェーン２２を一対の挟持板３１の外側で回動可能に挟持することで、装身用チェーン２のスライド移動に伴って、一対の挟持板３１が回動し、一対の挟持板３１の挟持する面が装身用チェーン２のスライド移動で摩耗することを防ぐことができる。
【００３２】
すなわち、本実施例の調節具３は、一対の挟持板３１の回動しやすい位置（挟持板３１の外側）で可動側チェーン２２がスライド移動するため、可動側チェーン２２のスライド移動に伴って挟持板３１が回動し、装身用チェーン２の調節により一対の挟持板３１を挟持する面が摩耗しにくくなり、従来例のように調節回数に応じて位置決めがし難くなることを防ぐことができる。
【００３３】
また、本実施例の調節具３は、一対の挟持板３１を樹脂材料で形成しているため、装身用チェーン２との摩擦を十分に発揮することができ、装身用チェーン２のスライド移動に伴って、一対の挟持板３１を効率良く回動させることができる。
【００３４】
さらに、本実施例の調節具３は、可動側チェーン２２の一端に装飾部４が取付けられていることで、可動側チェーン２２の他端側を引き過ぎることで、装身用チェーン２が調節具３から抜け落ちそうな場合においても、可動側チェーン２２の一端に取付けられた装飾部４が孔部３２cに当接して、可動側チェーン２２の一端が調節具３から抜け落ちることを防止することができる。
【００３５】
次に、本実施例の環状装身具１の組立方法について説明する。初期条件として、固定側チェーン２１および可動側チェーン２２の各他端には、係止具２１aおよび係止受具２２aが取付けられており、可動側チェーン２２の一端には装飾部４が取付けられているものとする。
【００３６】
図５は図１の環状装身具１を組み立てる組立方法を示すフローチャートである。
【００３７】
図５で示すように、作業者は、固定側チェーン２１の一端を固定部３２bに固定する（ＳＴＥＰ１、２）。固定側チェーン２１を固定部３２bに固定した後、一対の挟持板３１の一方を調節具本体３２内へ載置する（ＳＴＥＰ３）。
【００３８】
一対の孔部３２cに可動側チェーン２２の一端側を挿通し、可動側チェーン２２を調節具本体３２に載置された一方の挟持板３１に載置する（ＳＴＥＰ４）。可動側チェーン２２の一端側を調節具本体３２に挿通した後、他方の挟持板３１を調節具本体３２内へ載置する（ＳＴＥＰ５）。
【００３９】
調節具本体３２内で一対の挟持板３１で可動側チェーン２２を挟むように位置させた後、図４（Ａ）で示すように、調節具本体３２の開口端部３２aに押圧蓋３３の爪部３３aを接合する。この爪部３３aの接合により、調節具本体３２の開口端部３２aが押圧蓋３３で封止され、図１で示すように、可動側チェーン２２の一端側が調節具本体３２内へ挿通した状態となり、作業を終了する（ＳＴＥＰ６、７）。
【００４０】
このように、本実施例の調節具３は、調節具本体３２内において、一対の挟持板３１で可動側チェーン２２を挟んだ状態で、爪部３３aを調節具本体３２に接合するだけの簡単な構成で、一対の挟持板３１を押圧蓋３３で押圧した状態にすることができる。
【００４１】
本実施例の調節具３は、単に可動側チェーン２２を挟むように一対の挟持板３１を調節具本体３２内へ載置するとともに、押圧蓋３３で調節具本体３２の開口端部３２aを封止するだけで、一対の挟持板３１で可動側チェーン２２を挟持することができるため、調節具３の構成を簡易化するとともに調節具３の製造コストを低減化することができる。
【００４２】
また、本実施例の調節具３は、極めて簡単に調節具３を組み立てることができるため、熟練工による組立を必要とせず、組立コストも低減化することができる。
【００４３】
さらに、本実施例の調節具３は、押圧蓋３３を調節具本体３２に接合するため、組立後に使用者が不用意に押圧蓋３３を取り外し、調節具本体３２内の一対の挟持板３１が外側へ飛び出すことも防止することができる。
【００４４】
（他の実施例）
上記実施例において、調節具本体３２の開口端部３２aに押圧蓋３３の爪部３３aを接合するものとして説明したが、特にこれに限られるものではなく、爪部３３aを開口端部３２aに接着させる構成としても良い。
【００４５】
上記実施例において、押圧蓋３３に３カ所の爪部３３aが形成されているものとして説明したが、特にこれに限られるものではなく、押圧蓋３３の外周縁に２カ所又は４カ所等の複数カ所に形成する構成としても良い。
【００４６】
上記実施例において、押圧蓋３３に爪部３３aが形成されているものとして説明したが、特に爪部３３aを形成しなくても良い。この構成の場合、例えば押圧蓋３３の外周面を調節具本体３２の開口端部３２aに接合する構成とすれば良い。
【００４７】
上記実施例において、装身用チェーン２は、固定側チェーン２１と可動側チェーン２２に分かれているものとして説明したが、特にこれに限られるものではなく、固定側チェーン２１と可動側チェーン２２が一体的に形成されているものとしても良い。この構成により、固定側チェーン２１および可動側チェーン２２の各他端に取付けられる係止具２１aや係止受具２２aを設ける必要がないため、装身用チェーン２の構成を簡略化し、環状装身具１を製造するコストを低減化することができる。
【００４８】
上記実施例において、調節具本体３２の底部に孔を有さないものとして説明したが、特にこれに限られるものではなく、調節具本体３２の底部に本体側孔部（不図示）を形成する構成としても良い。この構成により、本体側孔部（不図示）に本体側装飾部（不図示）を取付ければ、調節具本体３２自体にも装飾する役割を持たせることができる。
【００４９】
また、上記実施例において、挟持板３１を略円板形状として説明したが、特にこれに限られるものではなく、調節具本体３２内を回動できるように多角形状をしたものとしても良い。
【００５０】
さらに、上記実施例において、挟持板３１を樹脂材料からなるものとして説明したが、特にこれに限られるものではなく、可動側チェーン２２のスライド移動と十分に摩擦する力を得られる素材で挟持板３１を形成する構成としても良い。
【００５１】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００５２】
１…環状装身具
２…装身用チェーン
２１…固定側チェーン      ２１a…係止具    ２２…可動側チェーン      ２２a…係止受具
３…調節具
３１…挟持板    ３２…調節具本体      ３２a…開口端部      ３２ｂ…固定部      ３２ｃ…孔部    ３３…押圧蓋      ３３a…爪部
４…装飾部
【図１】
0003214598.tif 000003
【図２】
0003214598.tif 000004
【図３】
0003214598.tif 000005
【図４】
0003214598.tif 000006
【図５】
0003214598.tif 000007
【図６】
0003214598.tif 000008